(57)【要約】      （修正有）【課題】複数の無端印字ベルトの中から、使用者が所望するベルトを容易に選択できる回転印を提供する。【解決手段】回転自在に配設された複数の回転子１２とその下端との間に、外表面に複数の印字が形成された複数の無端印字ベルト１５を巻き掛けた回転印本体１０と、前記回転印本体１０の下端に、無端印字ベルト１５が露出する窓孔１９ａが形成された固定印１９と、前記回転印本体１０を被装し、前記回転印本体１０に対して上下方向および円周方向にスライド可能に配設された把持筒３０とを有する回転印であって、前記把持筒３０の上下方向スライド操作により、前記無端印字ベルト１５に回転力を付与し、前記印字を１ピッチ回転させる回転機構と、前記把持筒３０の円周方向スライド操作により、前記回転力を付与する無端印字ベルト１５を複数から１つ選択する選択機構と、を設けたことを特徴とする回転印である。【選択図】図３
2010188530.tif 000002
【特許請求の範囲】
【請求項１】
回転自在に配設された複数の回転子とその下端との間に、外表面に複数の印字が形成された複数の無端印字ベルトを巻き掛けた回転印本体と、
前記回転印本体の下端に、無端印字ベルトが露出する窓孔が形成された固定印と、
前記回転印本体を被装し、前記回転印本体に対して上下方向および円周方向にスライド可能に配設された把持筒とを有する回転印であって、
前記把持筒の上下方向スライド操作により、前記無端印字ベルトに回転力を付与し、前記印字を１ピッチ回転させる回転機構と、
前記把持筒の円周方向スライド操作により、前記回転力を付与する無端印字ベルトを複数から１つ選択する選択機構と、
を設けたことを特徴とする回転印。
【請求項２】
前記把持筒の内筒面に円周方向に延びる円周ガイド溝を形成し、前記円周ガイド溝の下端に上下方向に延びる複数の垂直ガイド溝を形成し、
回転印本体の外周面に、前記円周ガイド溝および前記垂直ガイド溝と係合する誘導突起を形成し、
前記把持筒を円周方向にスライドさせて、前記複数の垂直ガイド溝の中から１つを選択し、前記選択した垂直ガイド溝の上方に前記誘導突起を位置させる前記選択機構と、
前記誘導突起を前記垂直ガイド溝の上下方向へ係合誘導させて、前記把持筒を上下方向にスライド操作させることを特徴とする請求項１に記載の回転印。
【請求項３】
把持筒に、内側に変形可能な操作片を形成し、
前記操作片の先端に無端印字ベルトの外表面と対向し係合する係合突起を設けて回転機構を構成したことを特徴とする請求項１又は請求項２に記載の回転印。
【請求項４】
把持筒に、内側に変形可能な操作片を形成し、
前記操作片の先端に回転子と対向し係合する係合突起を設けて回転機構を構成したことを特徴とする請求項１又は請求項２に記載の回転印。
【請求項５】
半径方向外側に膨出するラチェット爪が形成されたラチェット部材を、回転子と係合させた状態で同軸に配設し、
把持筒の内部に前記ラチェット爪と噛合又は滑動する係合突起を形成し、
前記把持筒を上方又は下方の一方にスライドさせると、前記ラチェット部材が一回転方向に回転し、回転子が供回りして、無端印字ベルトに回転力が付与されるように回転機構を構成したことを特徴とする請求項１又は請求項２に記載の回転印。
【発明の詳細な説明】
【技術分野】
【０００１】
本発明は、回転子に巻き掛けられた無端印字ベルトを有する回転印に関するものである。
【背景技術】
【０００２】
従来から、特許文献１に示されるように、年月日を印字するための回転印が広く用いられている。この特許文献１に示される回転印は、回転自在に配設された複数の回転子とその下端との間に無端印字ベルトを巻き掛けた回転印字体に、把持筒を上下スライド自在に被装し、この把持筒の下端に、前記無端印字ベルトの下端を露出させる窓孔が形成された固定印を設けたものである。この回転印を押印すると、無端印字ベルトに形成された印字及び固定印に形成された印字が同時に印字することができるようになっている。無端印字ベルトに形成された印字を切り替えるには、前記把持筒を上方にスライドさせて、前記回転子を露出させた状態で、前記回転子を指で回転させる。このように、回転子を指で回転させるため、指先が汚れてしまうという問題があった。
また、年月日を印字する回転印では、年月日のうち末尾の日は頻繁に切り替える必要があるが、指が太い人や、細かい部分が見え難い人にとって、回転子を指で回転させる作業は大変である。
【０００３】
このような問題を解決するため、本出願人は先に、特願２００８−２５２９３１号として、把持筒のスライド操作により、無端印字ベルトに回転力を付与し、印字体を１ピッチ回転させる回転機構を設けた回転印を出願しているが、この先願のものは、前記回転機構で回転できる印字ベルトが設計段階で既定されているため、使用する際、使用者は複数の無端印字ベルトの中から回転させたいベルトを選択することができなかった。
【特許文献１】特開２００５−２９７５７４号公報
【特許文献２】特願２００８−２５２９３１号公報
【発明の開示】
【発明が解決しようとする課題】
【０００４】
本発明は、上記課題を解決し、複数の無端印字ベルトの中から、使用者が所望するベルトを容易に選択できる回転印を提供することを目的になされたものである。
【課題を解決するための手段】
【０００５】
上記の課題を解決するために完成された第１の発明の回転印は、回転自在に配設された複数の回転子とその下端との間に、外表面に複数の印字が形成された複数の無端印字ベルトを巻き掛けた回転印本体と、前記回転印本体の下端に、無端印字ベルトが露出する窓孔が形成された固定印と、前記回転印本体を被装し、前記回転印本体に対して上下方向および円周方向にスライド可能に配設された把持筒とを有する回転印であって、前記把持筒の上下方向スライド操作により、前記無端印字ベルトに回転力を付与し、前記印字を１ピッチ回転させる回転機構と、前記把持筒の円周方向スライド操作により、前記回転力を付与する無端印字ベルトを複数から１つ選択する選択機構と、を設けたことを特徴とする。
また、第２の発明は、前記把持筒の内筒面に、円周方向に延びる円周ガイド溝の下端に、上下方向に延びる複数の垂直ガイド溝を形成し、回転印本体の外周面に、前記円周ガイド溝および前記垂直ガイド溝と係合する誘導突起を形成し、前記把持筒を円周方向にスライドさせて、前記複数の垂直ガイド溝の中から１つを選択して、その上方に誘導突起を位置させる前記選択機構と、前記誘導突起を前記垂直ガイド溝の上下方向へ係合誘導させて、前記把持筒を上下方向にスライド操作させることを特徴とする第１の発明に記載の回転印である。
また、第３の発明は、把持筒に、内側に変形可能な操作片を形成し、前記操作片の先端に無端印字ベルトの外表面と対向し係合する係合突起を設けて回転機構を構成したことを特徴とする第１の発明又は第２の発明に記載の回転印である。
また、第４の発明は、把持筒に、内側に変形可能な操作片を形成し、前記操作片の先端に回転子と対向し係合する係合突起を設けて回転機構を構成したことを特徴とする第１の発明又は第２の発明に記載の回転印である。
また、第５の発明は、半径方向外側に膨出するラチェット爪が形成されたラチェット部材を、回転子と係合させた状態で同軸に配設し、把持筒の内部に前記ラチェット爪と噛合又は滑動する係合突起を形成し、前記把持筒を上方又は下方の一方にスライドさせると、前記ラチェット部材が一回転方向に回転し、回転子が供回りして、無端印字ベルトに回転力が付与されるように回転機構を構成したことを特徴とする第１の発明又は第２の発明に記載の回転印である。
【発明の効果】
【０００６】
第１の発明は、把持筒のスライド操作により、無端印字ベルトに回転力を付与し、前記印字を１ピッチ回転させる回転機構を設けたので、把持筒を上方又は下方の一方にスライドさせる簡単な動作で、無端印字ベルトの印字を切り替えることが可能となった。また、回転子を直接触らなくても、印字を切り替えることができるので、指先が汚れない。さらに、回転印本体の下端に、無端印字ベルトが露出する窓孔が形成された固定印を設けたので、回転印とともに、固定印に形成された印字も同時に印字することができ大変便利である。
そして、前記把持筒の円周方向スライド操作により、前記回転力を付与する無端印字ベルトを複数から１つ選択する選択機構を設けたので、使用者は、年、月、日を印字するベルトの中から所望するベルトを選択することができるようになった。
【０００７】
第２の発明は、円周ガイド溝の下端に複数の垂直ガイド溝を形成し、また、これら円周ガイド溝と垂直ガイド溝に係合する誘導突起を形成したので、把持筒を円周方向にスライドさせると、無端印字ベルトを複数から１つ選択する選択機構を実現することができ、また、誘導突起を垂直ガイド溝に位置させた状態で把持筒を上方又は下方の一方にスライドさせると、無端印字ベルトに回転力を付与する回転機構を実現することが可能となった。
【０００８】
第３の発明は、把持筒に、内側に変形可能な操作片を形成し、前記操作片先端に無端印字ベルトの外表面と対面し係合する係合突起を設けたので、把持筒を、上方又は下方の一方にスライドさせると、無端印字ベルトに回転力を付与する回転機構を実現することが可能となった。
【０００９】
第４の発明は、把持筒に、内側に変形可能な操作片を形成し、前記操作片の先端に回転子と対面し係合する係合突起を設けたので、把持筒を、上方又は下方の一方にスライドさせると、無端印字ベルトに回転力を付与する回転機構を実現することが可能となった。
【００１０】
第５の発明は、半径方向外側に膨出するラチェット爪が形成されたラチェット部材を、回転子と係合させた状態で同軸に配設し、把持筒の内部に前記ラチェット爪と噛合又は滑動する係合突起を形成し、前記把持筒を上方又は下方の一方にスライドさせると、前記ラチェット部材が一回転方向に回転し、回転子が供回りして、無端印字ベルトに回転力が付与されるように構成したので、把持筒を、上方又は下方の一方にスライドさせると、無端印字ベルトに回転力を付与する回転機構を実現することが可能となった。
【発明を実施するための最良の形態】
【００１１】
以下に、図面を参照しつつ本発明第１の実施形態を示す。
図１は第１の実施形態の回転印５１の外観図であり、図３は図１の断面図である。回転印５１は、回転印本体１０、把持筒３０とから構成されている。回転印本体１０に、把持筒３０が上下方向スライド可能に被装している。ここで被装とは、被せるように取り付けることをいう。以下、各構成部品を詳細に説明する。
【００１２】
回転印本体１０は、枠状部材１１、回転子１２、支持部材１３、無端印字ベルト１５、固定印１９、筐体２０とから構成されている。枠状部材１１は、断面形状「コ」字形状で、下側に開放した形状である。枠状部材１１の内部に、複数の回転子１２が、同軸に軸着している。回転子１２は、操作円盤１２ａと、この操作円盤１２ａよりも外径の小さい係合筒１２ｂが同軸に、一体となって形成されている。枠状部材１１の下端には、断面形状「コ」字形状で、上側に開放した支持部材１３が取り付けられている。
【００１３】
それぞれの回転子１２の係合筒１２ｂ及び、支持部材１３の下端には、複数の無端印字ベルト１５が巻き掛けられている。無端印字ベルト１５の外表面には、長さ方向に沿って、複数の印字ブロック１５ａが突設されている。印字ブロック１５ａの表面には、数字や文字等の印字が形成されている。無端印字ベルト１５の裏面と、回転子１２の係合筒１２ｂとは係合していて、使用者が、指等で操作円盤１２ａを回転させると、無端印字ベルト１５も回転し、印字ブロック１５ａが切り替わるようになっている。
【００１４】
筐体２０は、筒状であり、内部に枠状部材１１を収納した状態で保持している。筐体２０の下端には、固定印１９が設けられている。固定印１９の中央には、断面形状が長方形状の窓孔１９ａが連通形成されている。固定印１９の窓孔１９ａから無端印字ベルト１５の下端が露出している。
図２に示されるように、筐体２０の外周面上方には、誘導突起２０ａが設けられている。誘導突起２０ａは、次述する把持筒３０に設けられる円周ガイド溝および垂直ガイド溝と係合するように設けられる。
【００１５】
把持筒３０は、下側が開放した有底筒状であり、筐体２０に、円周方向及び上下方向にスライド可能に被装している。把持筒３０の内筒面には、円周方向に延びる円周ガイド溝３０ｈが設けられている。前記円周ガイド溝３０ｈの下端には、上下方向（軸線と平行方向）に延びる複数の垂直ガイド溝３０ｉが形成され、円周ガイド溝３０ｈと複数の垂直ガイド溝３０ｉは連なった状態に連設されている。これら円周ガイド溝及び垂直ガイド溝には、前記誘導突起２０ａが係合する。
前記把持筒３０を筐体２０に対して円周方向にスライドさせると、円周ガイド溝３０ｈは誘導突起２０ａを係合誘導し、また、前記把持筒３０を筐体２０に対して上下方向にスライドさせると、垂直ガイド溝３０ｉは誘導突起２０ａを係合誘導する。これにより、把持筒３０は、筐体２０に、円周方向及び上下方向にスライド可能に被装される。
【００１６】
把持筒３０が、筐体２０に対して下側に位置している状態では、把持筒３０が、回転子１２を遮蔽しているので、回転印５１で押印する際に、回転子１２の操作円盤１２ａに触れることがなく、不用意に無端印字ベルト１５に形成された印字ブロック１５ａが切り替わることがない。
【００１７】
一方で、日付等を変更しようとするならば、把持筒３０を筐体２０に対して円周方向へスライドさせる。すると、筐体２０の外周面上方に設けられた誘導突起２０ａは、把持筒３０内壁面に設けられた、円周ガイド溝３０ｈに係合誘導され、誘導突起２０ａは、最初は円周ガイド溝３０ｈの端部３０ｍに当接しているが、把持筒３０のスライドとともに、垂直ガイド溝３０ｉの上端に位置する。そして、この位置から、把持筒３０を上方にスライドさせると、誘導突起２０ａは、垂直ガイド溝３０ｉに係合誘導され、最終的に下端に到達し、この状態で、複数の回転子１２の操作円盤１２ａが露出する。これにより、操作円盤１２ａを回転させることにより、無端印字ベルト１５の印字ブロック１５ａを切り替えることができるようになっている。
ここで、円周ガイド溝３０ｈの端部３０ｍ近傍に、一定の力を超えると誘導突起２０ａが乗り越えられるような係止片３０ｊを設け、誘導突起２０ａが端部３０ｍに到達したときに、前記係止片３０ｊによって、誘導突起２０ａを一時的に係止可能にしておくと、把持筒３０と筐体２０の係止状態を維持させておくことができ、回転印５１で押印する際に、不用意にガタつくことがなく有用である。
また、垂直ガイド溝３０ｉの下方に、一定の力を超えると誘導突起２０ａが乗り越えられるような係止片３０ｌを設け、誘導突起２０ａが垂直ガイド溝３０ｉの下端に到達したときに、前記係止片３０ｌによって、誘導突起２０ａを一時的に係止可能にしておくと、操作円盤１２ａが露出した状態を維持させておくことができ、日付等の変更をする際に有用である。
【００１８】
前記垂直ガイド溝３０ｉの数は、後述する回転機構の希望数だけ設ければよい。回転機構は、無端印字ベルトに回転力を付与し、印字を１ピッチ回転させる機構であるため、回転を希望する無端印字ベルトの数が、例えば図３（Ａ）のように５本の場合は、垂直ガイド溝３０ｉを５本設ければよく、５本中３本だけを希望する場合は、垂直ガイド溝３０ｉを３本設ければよい。複数の垂直ガイド溝３０ｉの間隔は、回転機構間の間隔と同一とする。
【００１９】
前記複数の垂直ガイド溝３０ｉの中から１つを選択する選択機構は、把持筒３０を筐体２０に対して円周方向へスライドさせた際、筐体２０の外周面上方に設けられた誘導突起２０ａを、把持筒３０のスライドとともに、複数の垂直ガイド溝３０ｉの中から１つを選択して、その上方に位置させる機構である。
このとき、円周ガイド溝３０ｈと垂直ガイド溝３０ｉとの連設部分に、前記誘導突起２０ａが垂直ガイド溝３０ｉの上部で一旦停止するように、係止片３０ｋを設けてもよい。係止片３０ｋは、一定の力を超えると誘導突起２０ａが乗り越えられるように設計する。このようにすると、誘導突起２０ａは、複数の垂直ガイド溝３０ｉの上方で一旦停止しながら円周ガイド溝３０ｈ内を係合誘導するため、複数の垂直ガイド溝３０ｉの中から１つを選択して、その上方に誘導突起２０ａを位置させる選択機構として有用である。
【００２０】
ここで、図示しないが、前記筐体２０に設けた誘導突起２０ａと、把持筒３０に設けた円周ガイド溝および垂直ガイド溝の関係を逆にしてもよい。つまり、把持筒３０の内筒面に誘導突起を設け、筐体２０の外周面に、円周ガイド溝および垂直ガイド溝を設けてもよく、この場合、誘導突起は把持筒３０の内筒面下方に設けられ、垂直ガイド溝は、筐体２０の比較的下方に設けられた円周ガイド溝の上端から上方に向かって形成される。
【００２１】
次に、前記無端印字ベルトに回転力を付与し、前記印字を１ピッチ回転させる回転機構について説明する。
第１の回転機構の実施形態は、図１の（Ａ）に示されるように、把持筒３０には、下側を底とする「Ｕ」字形状の連通溝３０ａが連通形成されている。連通溝３０ａの内側は、操作片３０ｂとなっている。第１の実施形態では、把持筒３０を、樹脂等の柔軟で弾性のある材質で構成しているので、操作片３０ｂは内側に変形可能となっている。操作片３０ｂを指等で押圧し内側に変形させた後に、指を離すと、操作片３０ｂの弾性力により、元の形状に戻るようになっている。
【００２２】
図３の（Ｂ）に示されるように、操作片３０ｂの先端には、内側に突出し、無端印字ベルト１５と対向する係合突起３０ｃが突設されている。
【００２３】
図４の（Ａ）に示されるように、操作片３０ｂを押圧すると、係合突起３０ｃが、長さ方向隣接する印字ブロック１５ａの間に侵入し、印字ブロック１５ａと係合した状態となる。この状態で、把持筒３０を上方にスライドさせると、無端印字ベルト１５が１ピッチ分回転し、印字ブロック１５ａを切り替えることができる（図４の（Ｂ）の状態）。操作片３０ｂの押圧を解除すると、係合突起３０ｃが無端印字ベルト１５に係合していないので、把持筒３０を下方にスライドさせても無端印字ベルト１５が回転することができない。
【００２４】
前記回転機構は、複数の無端印字ベルトの中から希望するベルトに付与するように設計すればよい。例えば図３（Ａ）のようにベルトが５本ある場合は、第１の回転機構を５本全てに設けてもよいし、２本に設けてもよい。
そして、前記選択機構によって複数の回転機構の中から所望の１つを選択し、前記第１の回転機構で、無端印字ベルトの印字を１ピッチ回転させればよい。
【００２５】
前記選択機構で、誘導突起２０ａを複数の垂直ガイド溝３０ｉの中から希望の１つを選択して、その上方に位置させたとき、前記係合突起３０ｃが、回転を希望する回転機構に対向するように配置される。
第１の回転機構の場合は、前記係合突起３０ｃが無端印字ベルト１５と対向するように配置される。年月日が印字ブロック１５ａに形成されている回転印５１では、前記係合突起３０ｃは、前記年月日の無端印字ベルトの中から、前記選択機構で選択した無端印字ベルト１５上に位置し、当該無端印字ベルト１５の印字ブロック１５ａと係合するように構成する。
この場合、前記複数の垂直ガイド溝３０ｉの間隔は、回転を希望する無端印字ベルト１５の間隔と同一とする。
【００２６】
尚、図に示した実施形態では、操作片３０ｂを押圧し、係合突起３０ｃを印字ブロック１５ａに係合させてから、把持筒３０を上方にスライドさせて印字ブロック１５ａを切り替える回転印５１について本発明を説明したが、本発明は、この実施形態に限定されず、操作片３０ｂを押圧することなく、把持筒３０を上方にスライドさせ、この状態で、操作片３０ｂを押圧して、係合突起３０ｃと印字ブロック１５ａを係合させてから、把持筒３０を下方にスライドさせて、印字ブロック１５ａを切り替える構成にしても差し支えない。
【００２７】
また、図１の（Ｂ）に示されるように、把持筒３０の外周面下端に表示片３０ｎを設け、筐体２０の対向する位置に表示用溝２０ｂを設け、表示用溝２０ｂの下端には年月日等の文字表示２０ｃを設けてもよい。文字表示２０ｃの位置を前記回転機構の位置と同一にすることで、前記選択機構によって前記回転機構を選択する際に、使用者が選択位置を外観から確認することができ有用である。
【００２８】
次に、図５に第２の実施形態の回転印５２の断面図を示し、第１の実施形態の回転印５１と異なる点について説明する。
第２の実施形態の回転印５２の係合突起３０ｄは、操作片３０ｂの先端に突設されていて、操作円盤１２ａ上に対向するように配置される。年月日が印字ブロック１５ａに形成されている回転印５２では、前記係合突起３０ｄは、前記年月日の無端印字ベルトの中から、前記選択機構で選択した無端印字ベルトを回転させる回転子１２の操作円盤１２ａ上に位置し、図６の（Ａ）に示されるように、操作片３０ｂを押圧すると、係合突起３０ｄが回転子１２の操作円盤１２ａと係合する。この状態で、把持筒３０を上方にスライドさせると、回転子１２が回転し、無端印字ベルト１５が１ピッチ分回転し、印字ブロック１５ａを切り替えることができる（図６の（Ｂ）の状態）。操作片３０ｂの押圧を解除してから、把持筒３０を下方にスライドさせると、回転印５２で印字することができるようになる。
この場合、前記複数の垂直ガイド溝３０ｉの間隔は、回転を希望する無端印字ベルトを回転させる操作円盤１２ａの間隔と同一とする。
【００２９】
尚、図に示した状態では、操作片３０ｂを押圧し、係合突起３０ｄを操作円盤１２ａに係合させてから、把持筒３０を上方にスライドさせて印字ブロック１５ａを切り替える回転印５２について本発明を説明したが、本発明は、この実施形態に限定されず、操作片３０ｂを押圧することなく、把持筒３０を上方へスライドさせ、この状態で、操作片３０ｂを押圧して、係合突起３０ｄと操作円盤１２ａ係合させてから、把持筒３０を下方にスライドさせて、印字ブロック１５ａを切り替える構成にしても差し支えない。
【００３０】
次に、図７に第３の実施形態の回転印５３の断面図を示し、第１の実施形態の回転印５１と異なる点について説明する。
第３の実施形態では、一の回転子１２と同軸に隣接して、ラチェット部材１６が配設されている。このラチェット部材１６は、一の回転子１２と係合し、一体となって供回りするようになっている。年月日が、印字ブロック１５ａに形成されている回転印５３では、ラチェット部材１６を、前記年月日の無端印字ベルトの中から、希望するベルトに付与するように設計する。図７の（Ａ）に示すように２本に設けてもよいし、５本全てに設けてもよい。
【００３１】
図８にラチェット部材１６の詳細図を示す。図８に示されるように、ラチェット部材１６は、円盤状の本体１６ｃの外側に、複数の弾性片１６ｂが、本体１６ｃの外周に沿って、形成されている。弾性片１６ｂは、内側（本体１６ｃ側に）に変形可能となっていて、弾性片１６ｂの弾性力により元の形状に復帰するようになっている。弾性片１６ｂの先端には、半径方向外側に膨出するラチェット爪１６ａが形成されている。具体的には、ラチェット爪１６ａは、弾性片１６ｂの先端側に向かって、徐々に外側に膨出する傾斜面１６ｄが形成され、また、ラチェット爪１６ａの先端には、ラチェット１６の回転方向と略垂直に交わる立て壁１６ｅが形成される。
【００３２】
図７の（Ｂ）に示されるように、把持筒３０の内面のラチェット部材１６と対面する位置には、上下方向にラック３０ｅが形成されている。図７の（ｃ）に示されるように、ラック３０ｅは、水平に形成された水平面３０ｆと、この水平面３０ｆに対して傾斜している傾斜面３０ｇとから構成されている。
【００３３】
年月日が印字ブロック１５ａに形成されている回転印５３では、前記ラック３０ｅは、前記年月日の無端印字ベルトの中から、前記選択機構で選択した無端印字ベルトを回転させるラチェット部材１６上に位置し、図７の（Ｂ）や（Ｃ）に示されるように、ラチェット部材１６のラチェット爪１６ａは、把持筒３０のラック３０ｅと係合している。図に示される実施形態では、把持筒３０を上方にスライドさせると、把持筒３０の傾斜面３０ｇが、ラチェット部材１６の傾斜面１６ｄを押圧し、ラチェット部材１６の弾性片１６ｂが内側に変形して、前記傾斜面３０ｇと傾斜面１６ｄが滑動し、ラチェット部材１６のラチェット爪１６ａが、空回りするようになっている。
【００３４】
一方で、把持筒３０を上方にスライドさせた状態で、把持筒３０を下側にスライドさせると、ラック３０ｅの水平面３０ｆとラチェット爪１６ａの立て壁１６ｅが噛み合い、ラチェット部材１６が回転するとともに、回転子１２も回転して、無端印字ベルト１５が１ピッチ分回転し、印字ブロック１５ａが切り替わるようになっている。
この場合、前記複数の垂直ガイド溝３０ｉの間隔は、回転を希望する無端印字ベルトを回転させるラチェット部材１６の間隔と同一とする。
【００３５】
尚、以上説明した実施形態では、把持筒３０を下方にスライドさせると、ラック３０ｅの水平面３０ｆとラチェット爪１６ａの立て壁１６ｅが噛み合う構成であるが、把持筒３０を上方にスライドさせると、ラック３０ｅの水平面３０ｆとラチェット爪１６ａの立て壁１６ｅが噛み合い、ラチェット部材１６が回転するとともに、回転子１２も回転して、無端印字ベルト１５の印字ブロック１５ａが切り替わるような構成にしても差し支えない。
【００３６】
以上、現時点において、もっとも、実践的であり、かつ好ましいと思われる実施形態に関連して本発明を説明したが、本発明は、本願明細書中に開示された実施形態に限定されるものではなく、請求の範囲及び明細書全体から読み取れる発明の要旨あるいは思想に反しない範囲で適宜変更可能であり、そのような変更を伴う回転印もまた技術的範囲に包含されるものとして理解されなければならない。
【図面の簡単な説明】
【００３７】
【図１】第１の実施形態の外観図である。
【図２】本発明把持筒の断面斜視図と筐体の斜視図である。
【図３】第１の実施形態の断面図である。
【図４】第１の実施形態の動作状態図である。
【図５】第２の実施形態の断面図である。
【図６】第２の実施形態の動作状態図である
【図７】第３の実施形態の断面図である。
【図８】ラチェット爪の詳細図である。
【符号の説明】
【００３８】
１０    回転印本体
１１    枠状部材
１２    回転子
１２ａ  操作円盤
１２ｂ  係合筒
１３    支持部材
１５    無端印字ベルト
１５ａ  印字ブロック
１６    ラチェット部材
１６ａ  ラチェット爪
１６ｂ  弾性片
１６ｃ  本体
１６ｄ  傾斜面
１６ｅ  立て壁
１９    固定印
１９ａ  窓孔
２０    筐体
２０ａ  誘導突起
２０ｂ  表示用溝
２０ｃ  文字表示
３０    把持筒
３０ａ  連通溝
３０ｂ  操作片
３０ｃ  係合突起
３０ｄ  係合突起
３０ｅ  ラック
３０ｆ  水平面
３０ｇ  傾斜面
３０ｈ  円周ガイド溝
３０ｉ  垂直ガイド溝
３０ｊ  係止片
３０ｋ  係止片
３０ｌ  係止片
３０ｍ  端部
３０ｎ  表示片
５１    回転印（第１の実施例）
５２    回転印（第２の実施例）
５３    回転印（第３の実施例）
【図１】
2010188530.tif 000003
【図２】
2010188530.tif 000004
【図３】
2010188530.tif 000005
【図４】
2010188530.tif 000006
【図５】
2010188530.tif 000007
【図６】
2010188530.tif 000008
【図７】
2010188530.tif 000009
【図８】
2010188530.tif 000010